(57)【要約】【課題】軽量で、且つ高温で塗料を焼付けても寸法精度の優れた自動車バンパーを得る。【解決手段】自動車バンパー１の裏面側外周縁に沿うよう、金属材により枠状に接合固定して保型枠２を形成すると共に、該保型枠２の対面する長手方向の保型枠杆２ａ・２ｂに補強杆３を所定間隔で接合固定して、前記保型枠杆２ａ・２ｂと補強杆３により区画された複数個の空間部４を設けて支持枠体５を形成し、更に、前記支持枠体５の空間部４が残るような形状に形成されたＦＲＰ製のバンパー受け板６を、前記支持枠体５上に一体に連結固定して、バンパー受け部７を形成する。【選択図】  図２
2010284601.tif 000002
【特許請求の範囲】
【請求項１】
自動車バンパーの裏面側外周縁に沿うよう、金属材により枠状に接合固定して保型枠を形成すると共に、該保型枠の対面する長手方向の保型枠&#26437;に補強&#26437;を所定間隔で接合固定して、前記保型枠&#26437;と補強&#26437;により区画された複数個の空間部を設けて支持枠体を形成し、更に、前記支持枠体の空間部が残るような形状に形成されたＦＲＰ製のバンパー受け板を、前記支持枠体上に一体に連結固定してバンパー受け部としたことを特徴とする自動車バンパー塗装用治具。
【発明の詳細な説明】
【技術分野】
【０００１】
本発明は、軽量で、且つ高温で塗料を焼付けても寸法精度の優れた自動車バンパーを得ることができる自動車バンパーの塗装用治具に関するものである。
【背景技術】
【０００２】
従来、実用に供されている自動車バンパーの塗装用治具は、自動車バンパーの裏面側全面に面接触するような形状に形成されたＦＲＰ製のバンパー受け部が、保型用の補強パイプに固定されて形成されると共に、塗装ラインの治具受け部に着脱自在に立設固定されており、該バンパー受け部に自動車バンパーを載置して、該自動車バンパーに塗料をスプレーガンにより噴射して塗布し、然る後、オーブン内に移送して、該オーブン内を１５０℃程度の高温にして、前記塗料を自動車バンパーに焼付けていた。
【０００３】
そして、自動車バンパーの塗装用治具に関する特許文献を遡及検索したところ、下記特許文献が公知である。
【先行技術文献】
【特許文献】
【０００４】
【特許文献１】特開２００７-１３６３１７号公報
【発明の概要】
【発明が解決しようとする課題】
【０００５】
前記実用に供されている自動車バンパー塗装用治具は、ＦＲＰ製のバンパー受け部が、自動車バンパーの裏面側全面に面接触するような形状、すなわち全面が肉厚状のＦＲＰで形成されていて、全体として大体８ｋｇ程度の重量であるため、自動車の車種によって形状、大きさの異なるバンパーに合わせて、塗装ラインの治具受け部に、新しいバンパー受け部を取換えてセットしなければならないので、その取換え作業がかなりの重労働になるという課題があった。
【０００６】
また、前記実用に供されている自動車バンパー塗装用治具は、自動車バンパーに塗料を吹き付けた後、オーブンに移送し、１５０℃程度で焼付けると、ポリプロピレン製のバンパー、およびＦＲＰ製のバンパー受け部も軟らかくなり、その後、オーブンから出されたバンパー、およびバンパー受け部も冷却すると収縮するので、バンパーがバンパー受け部の形状に合って収縮してしまい、その結果、バンパーの寸法精度が出ないという課題があった。
【０００７】
また、前記特許文献１記載のものは、バンパー支持&#26437;でバンパーを支持して塗装を施すようにしたものであり、バンパー受け部が全く存在しないので、バンパーの寸法精度が出ないという課題があった。
【課題を解決するための手段】
【０００８】
本発明は、前記課題を解決するために、自動車バンパーの裏面側外周縁に沿うよう、金属材により枠状に接合固定して保型枠を形成すると共に、該保型枠の対面する長手方向の保型枠&#26437;に補強&#26437;を所定間隔で接合固定して、前記保型枠&#26437;と補強&#26437;により区画された複数個の空間部を設けて支持枠体を形成し、更に、前記支持枠体の空間部が残るような形状に形成されたＦＲＰ製のバンパー受け板を、前記支持枠体上に一体に連結固定してバンパー受け部とするという手段を採用することにより、上記課題を解決した。
【発明の効果】
【０００９】
本発明自動車バンパーの塗装用治具は、焼付け完了後の冷却工程において、バンパー受け部が空間部を備えて質量が少ないため、該バンパー受け部の収縮度が少なくほぼ正確な寸法を維持しているバンパー受け部の上面形状に沿って自動車バンパーも収縮するので、寸法精度の優れた自動車バンパーが得られる。また、従来の塗装用治具に比べてかなり軽量となるため、作業員が他の塗装用治具に取換える場合、作業の負担が軽く、取換え作業も簡単にできる。更に、本発明におけるバンパー受け板は、空間部を備えて質量が減っているため、該バンパー受け板の両側の湾曲部分が、冷却工程において、内側方向に更に湾曲することがなく、その結果、自動車バンパーの両側部も内側方向へ更に湾曲することのない寸法精度の優れた焼付けされた自動車バンパーが得られる。
【図面の簡単な説明】
【００１０】
【図１】本発明自動車バンパーの塗装用治具の底面図である。
【図２】本発明自動車バンパーの塗装用治具を塗装ラインにセットした状態を示す斜視図である。
【図３】本発明自動車バンパーの塗装用治具に自動車バンパーを載置し、塗装ラインにセットしようとする状態を示す正面図である。
【図４】本発明自動車バンパーの塗装用治具に自動車バンパーを載置し、塗装ラインにセットした状態を示す斜視図である。
【実施例】
【００１１】
本発明の実施例を図面に基づいて詳細に説明する。本発明自動車バンパー塗装用治具は、バンパーの寸法精度を高めることができると共に、取換え作業が楽にできるようにすることを目的として発明されたものであり、その目的を達成するため、本発明自動車バンパー塗装用治具は、自動車バンパー１の裏面側外周縁部に沿うよう、例えば、鉄・アルミニウムまたはステンレス等の金属材により枠状に接合固定して保型枠２を形成すると共に、該保型枠２の対面する長手方向の保型枠&#26437;２ａ・２ａに補強&#26437;３を所定間隔で接合固定して前記保型枠&#26437;２ａ・２ｂと補強&#26437;３により区画された複数個の空間部４を設けて支持枠体５を形成する。
【００１２】
そして、自動車バンパー１の裏面側に接触すると共に、前記支持枠体５の空間部４が残るような形状に形成されたＦＲＰ製のバンパー受け板６を、前記支持枠体５上に一体に連結固定してバンパー受け部７が形成される。
【００１３】
更に、前記バンパー受け部７を構成する支持枠体５の下面には、該支持枠体５を下方より保持する保持&#26437;８が基板９より複数本突設されて前記支持枠体５に連結固定され、更に前記基板９の下面には、塗装ライン１０の治具受け部１１に着脱自在にセットするための固定&#26437;１２を下端に取付けて形成されている。
【００１４】
前記構成より成る本発明自動車バンパーの塗装用治具の作用について説明する。塗装ライン１０の治具受け部１１上にセットされたバンパー受け部７のバンパー受け板６上に、バンパー製造工場等から搬送されてきた自動車バンパー１を被冠して載置する。
【００１５】
前記バンパー受け板６の形状は、自動車バンパー１の形状に合わせて予め形成されているため、前記自動車バンパー１は、その裏面側が該バンパー受け板６上に密接して載置される。
【００１６】
前記バンパー受け板６上に自動車バンパー１を載置して、塗料を噴き付けガン等を用いて、該自動車バンパー１に噴射して塗布し、然る後、前記塗料を塗布した自動車バンパー１を前記バンパー受け板６上に載置したまま、塗装ライン１０の治具受け部枠１１ごと、図示していないオーブン内へ移送して、１５０℃程度の高温雰囲気中に曝して、前記塗料を自動車バンパー１に焼付ける。
【００１７】
前記塗料の焼付け工程において、１５０℃程度の高温雰囲気中に自動車バンパー１とバンパー受け板６を曝すと、該ポリプロピレン製の自動車バンパー１は軟らかくなり膨張するが、ＦＲＰ製のバンパー受け板６は空間部４を備えているため、質量が少なく、空間部のない従来品に比べて膨張度が極めて小さい。
【００１８】
そして、前記塗料の焼付けが完了して、前記自動車バンパー１をバンパー受け板６に載置したまま、前記オーブンから搬出して冷却すると、バンパー受け板６は前記のように空間部４を備えて質量が少ないため、空間部のない従来品に比べて収縮度が少なく、その結果、自動車バンパー１は、該収縮度が少なく、ほぼ正確な寸法を維持しているバンパー受け板６の上面形状に沿って収縮するため、該自動車バンパー１は寸法精度の優れたものが得られる。
【００１９】
また、本発明自動車バンパーの塗装用治具は、バンパー受け板６に空間部４を備えて形成されているため、従来の空間部を備えていない塗装用治具に比べて、重量が大体４分の１程度となって軽量であるため、自動車バンパー１の種類に対応して、作業員が他の塗装用治具に取換える場合、作業の負担が軽く、且つ取換え作業も簡単にできる。
【００２０】
更に、バンパー受け板６は、ＦＲＰ製でガラス繊維を含んでいるため、繊維収縮がなく、前記加熱後の冷却時において、平面部分は内部応力が働いて問題はないが、両側の湾曲部分は内側に更に湾曲してしまう虞れがある。しかしながら、本発明におけるバンパー受け板６は、空間部４を備えて質量が減っているため、その両側の湾曲部分が内側方向へ更に湾曲することなく、その結果自動車バンパー１の両側部も内側方向へ更に湾曲することがないので、寸法精度の優れた焼付けされた自動車バンパー１が得られる。
【符号の説明】
【００２１】
１  自動車バンパー
２  保型枠
２ａ・２ｂ  保型枠&#26437;
３  補強&#26437;
４  空間部
５  支持枠体
６  バンパー受け板
７  バンパー受け部
８  保持&#26437;
９  基板
１０  塗装ライン
１１  治具受け部
１２  固定&#26437;
【図１】
2010284601.tif 000003
【図２】
2010284601.tif 000004
【図３】
2010284601.tif 000005
【図４】
2010284601.tif 000006
【手続補正書】
【提出日】平成21年6月27日(2009.6.27)
【手続補正１】
【補正対象書類名】明細書
【補正対象項目名】全文
【補正方法】変更
【補正の内容】
【発明の詳細な説明】
【技術分野】
【０００１】
本発明は、軽量で、且つ高温で塗料を焼付けても寸法精度の優れた自動車バンパーを得ることができる自動車バンパーの塗装用治具に関するものである。
【背景技術】
【０００２】
従来、実用に供されている自動車バンパーの塗装用治具は、自動車バンパーの裏面側全面に面接触するような形状に形成されたＦＲＰ製のバンパー受け部が、保型用の補強パイプに固定されて形成されると共に、塗装ラインの治具受け部に着脱自在に立設固定されており、該バンパー受け部に自動車バンパーを載置して、該自動車バンパーに塗料をスプレーガンにより噴射して塗布し、然る後、オーブン内に移送して、該オーブン内を１５０℃程度の高温にして、前記塗料を自動車バンパーに焼付けていた。
【０００３】
そして、自動車バンパーの塗装用治具に関する特許文献を遡及検索したところ、下記特許文献が公知である。
【先行技術文献】
【特許文献】
【０００４】
【特許文献１】特開２００７-１３６３１７号公報
【発明の概要】
【発明が解決しようとする課題】
【０００５】
前記実用に供されている自動車バンパー塗装用治具は、ＦＲＰ製のバンパー受け部が、自動車バンパーの裏面側全面に面接触するような形状、すなわち全面が肉厚状のＦＲＰで形成されていて、全体として大体８ｋｇ程度の重量であるため、自動車の車種によって形状、大きさの異なるバンパーに合わせて、塗装ラインの治具受け部に、新しいバンパー受け部を取換えてセットしなければならないので、その取換え作業がかなりの重労働になるという課題があった。
【０００６】
また、前記実用に供されている自動車バンパー塗装用治具は、自動車バンパーに塗料を吹き付けた後、オーブンに移送し、１５０℃程度で焼付けると、ポリプロピレン製のバンパー、およびＦＲＰ製のバンパー受け部も軟らかくなり、その後、オーブンから出されたバンパー、およびバンパー受け部も冷却すると収縮するので、バンパーがバンパー受け部の形状に合って収縮してしまい、その結果、バンパーの寸法精度が出ないという課題があった。
【０００７】
また、前記特許文献１記載のものは、バンパー支持杆でバンパーを支持して塗装を施すようにしたものであり、バンパー受け部が全く存在しないので、バンパーの寸法精度が出ないという課題があった。
【課題を解決するための手段】
【０００８】
本発明は、前記課題を解決するために、自動車バンパーの裏面側外周縁に沿うよう、金属材により枠状に接合固定して保型枠を形成すると共に、該保型枠の対面する長手方向の保型枠杆に補強杆を所定間隔で接合固定して、前記保型枠杆と補強杆により区画された複数個の空間部を設けて支持枠体を形成し、更に、前記支持枠体の空間部が残るような形状に形成されたＦＲＰ製のバンパー受け板を、前記支持枠体上に一体に連結固定してバンパー受け部とするという手段を採用することにより、上記課題を解決した。
【発明の効果】
【０００９】
本発明自動車バンパーの塗装用治具は、焼付け完了後の冷却工程において、バンパー受け部が空間部を備えて質量が少ないため、該バンパー受け部の収縮度が少なくほぼ正確な寸法を維持しているバンパー受け部の上面形状に沿って自動車バンパーも収縮するので、寸法精度の優れた自動車バンパーが得られる。また、従来の塗装用治具に比べてかなり軽量となるため、作業員が他の塗装用治具に取換える場合、作業の負担が軽く、取換え作業も簡単にできる。更に、本発明におけるバンパー受け板は、空間部を備えて質量が減っているため、該バンパー受け板の両側の湾曲部分が、冷却工程において、内側方向に更に湾曲することがなく、その結果、自動車バンパーの両側部も内側方向へ更に湾曲することのない寸法精度の優れた焼付けされた自動車バンパーが得られる。
【図面の簡単な説明】
【００１０】
【図１】本発明自動車バンパーの塗装用治具の底面図である。
【図２】本発明自動車バンパーの塗装用治具を塗装ラインにセットした状態を示す斜視図である。
【図３】本発明自動車バンパーの塗装用治具に自動車バンパーを載置し、塗装ラインにセットしようとする状態を示す正面図である。
【図４】本発明自動車バンパーの塗装用治具に自動車バンパーを載置し、塗装ラインにセットした状態を示す斜視図である。
【実施例】
【００１１】
本発明の実施例を図面に基づいて詳細に説明する。本発明自動車バンパー塗装用治具は、バンパーの寸法精度を高めることができると共に、取換え作業が楽にできるようにすることを目的として発明されたものであり、その目的を達成するため、本発明自動車バンパー塗装用治具は、自動車バンパー１の裏面側外周縁部に沿うよう、例えば、鉄・アルミニウムまたはステンレス等の金属材により枠状に接合固定して保型枠２を形成すると共に、該保型枠２の対面する長手方向の保型枠杆２ａ・２ａに補強杆３を所定間隔で接合固定して前記保型枠杆２ａ・２ｂと補強杆３により区画された複数個の空間部４を設けて支持枠体５を形成する。
【００１２】
そして、自動車バンパー１の裏面側に接触すると共に、前記支持枠体５の空間部４が残るような形状に形成されたＦＲＰ製のバンパー受け板６を、前記支持枠体５上に一体に連結固定してバンパー受け部７が形成される。
【００１３】
更に、前記バンパー受け部７を構成する支持枠体５の下面には、該支持枠体５を下方より保持する保持杆８が基板９より複数本突設されて前記支持枠体５に連結固定され、更に前記基板９の下面には、塗装ライン１０の治具受け部１１に着脱自在にセットするための固定杆１２を下端に取付けて形成されている。
【００１４】
前記構成より成る本発明自動車バンパーの塗装用治具の作用について説明する。塗装ライン１０の治具受け部１１上にセットされたバンパー受け部７のバンパー受け板６上に、バンパー製造工場等から搬送されてきた自動車バンパー１を被冠して載置する。
【００１５】
前記バンパー受け板６の形状は、自動車バンパー１の形状に合わせて予め形成されているため、前記自動車バンパー１は、その裏面側が該バンパー受け板６上に密接して載置される。
【００１６】
前記バンパー受け板６上に自動車バンパー１を載置して、塗料を噴き付けガン等を用いて、該自動車バンパー１に噴射して塗布し、然る後、前記塗料を塗布した自動車バンパー１を前記バンパー受け板６上に載置したまま、塗装ライン１０の治具受け部枠１１ごと、図示していないオーブン内へ移送して、１５０℃程度の高温雰囲気中に曝して、前記塗料を自動車バンパー１に焼付ける。
【００１７】
前記塗料の焼付け工程において、１５０℃程度の高温雰囲気中に自動車バンパー１とバンパー受け板６を曝すと、該ポリプロピレン製の自動車バンパー１は軟らかくなり膨張するが、ＦＲＰ製のバンパー受け板６は空間部４を備えているため、質量が少なく、空間部のない従来品に比べて膨張度が極めて小さい。
【００１８】
そして、前記塗料の焼付けが完了して、前記自動車バンパー１をバンパー受け板６に載置したまま、前記オーブンから搬出して冷却すると、バンパー受け板６は前記のように空間部４を備えて質量が少ないため、空間部のない従来品に比べて収縮度が少なく、その結果、自動車バンパー１は、該収縮度が少なく、ほぼ正確な寸法を維持しているバンパー受け板６の上面形状に沿って収縮するため、該自動車バンパー１は寸法精度の優れたものが得られる。
【００１９】
また、本発明自動車バンパーの塗装用治具は、バンパー受け板６に空間部４を備えて形成されているため、従来の空間部を備えていない塗装用治具に比べて、重量が大体４分の１程度となって軽量であるため、自動車バンパー１の種類に対応して、作業員が他の塗装用治具に取換える場合、作業の負担が軽く、且つ取換え作業も簡単にできる。
【００２０】
更に、バンパー受け板６は、ＦＲＰ製でガラス繊維を含んでいるため、繊維収縮がなく、前記加熱後の冷却時において、平面部分は内部応力が働いて問題はないが、両側の湾曲部分は内側に更に湾曲してしまう虞れがある。しかしながら、本発明におけるバンパー受け板６は、空間部４を備えて質量が減っているため、その両側の湾曲部分が内側方向へ更に湾曲することなく、その結果自動車バンパー１の両側部も内側方向へ更に湾曲することがないので、寸法精度の優れた焼付けされた自動車バンパー１が得られる。
【符号の説明】
【００２１】
１  自動車バンパー
２  保型枠
２ａ・２ｂ  保型枠杆
３  補強杆
４  空間部
５  支持枠体
６  バンパー受け板
７  バンパー受け部
８  保持杆
９  基板
１０  塗装ライン
１１  治具受け部
１２  固定杆
【手続補正２】
【補正対象書類名】特許請求の範囲
【補正対象項目名】全文
【補正方法】変更
【補正の内容】
【特許請求の範囲】
【請求項１】
自動車バンパーの裏面側外周縁に沿うよう、金属材により枠状に接合固定して保型枠を形成すると共に、該保型枠の対面する長手方向の保型枠杆に補強杆を所定間隔で接合固定して、前記保型枠杆と補強杆により区画された複数個の空間部を設けて支持枠体を形成し、更に、前記支持枠体の空間部が残るような形状に形成されたＦＲＰ製のバンパー受け板を、前記支持枠体上に一体に連結固定してバンパー受け部としたことを特徴とする自動車バンパー塗装用治具。